(57)【要約】【課題】本発明は、表面に溝が形成されていないベルトに比べて、特定装置においてベルトとして用いた場合、透明ベルトを透過する光の光量の減少を低減することを目的とする。ここで、特定装置は、透明かつ無端状であって、回転するベルトの表面に潤滑液が付着された状態で、光源からの光をベルトを介して被照射物に照射する装置をいう。【解決手段】ベルト５２は、透明かつ無端状であって、内周面又は外周面に溝Ｄが形成されており、前記内周面又は外周面に潤滑液Ｏが付着された状態で、光ＬＢを前記内周面及び前記外周面を介して被照射物Ｔに照射する装置２０に用いられる。【選択図】図４
2016126207.tif 000002
【特許請求の範囲】
【請求項１】
透明かつ無端状であって、内周面又は外周面に溝が形成されており、
前記内周面又は前記外周面に潤滑液が付着された状態で、光源からの光を前記内周面及び前記外周面を介して被照射物に照射する装置に用いられる、
ベルト。
【請求項２】
前記内周面又は前記外周面には、前記ベルトの幅方向に沿った断面において曲面状に突出している凸部が連続して並べられ、前記溝は、隣接する前記凸部によって形成されている、
請求項１記載のベルト。
【請求項３】
軸周りに回転し、前記内周面に潤滑液が付着されている請求項１又は２記載のベルトと、
前記軸方向から見て、一端に前記内周面に最も近い頂部を有する曲面が形成され、前記曲面に入射した光を前記被照射物としての被定着物に集光するレンズと、
前記ベルトを挟んで前記レンズの他端とで前記ベルトとともにニップを形成する形成部材と、
前記ベルトにおける前記曲面に対向する部位の外周面に、前記被定着物に集光される光を入射させる光源と、
を備えた定着装置。
【請求項４】
軸周りに回転し、前記内周面に潤滑液が付着されている請求項１又は２記載のベルトと、
前記軸方向から見て、一端に前記内周面に最も近い頂部を有する曲面が形成され、前記曲面に入射した光を前記被照射物としての被定着物に集光するレンズと、
前記ベルトを挟んで前記レンズの他端とで前記ベルトとともにニップを形成する形成部材と、
前記ベルトにおける前記曲面に対向する部位の外周面であって前記頂部に対向する部位の外周面よりも前記ベルトの回転方向下流側に、前記他端で集光される光を入射させる光源と、
を備えた定着装置。
【請求項５】
軸周りに回転し、前記内周面に潤滑液が付着されている請求項１又は２記載のベルトと、
前記軸方向から見て、一端に前記内周面に最も近い頂部を有する曲面が形成され、前記曲面に入射した光を前記被照射物としての被定着物に集光するレンズと、
前記ベルトを挟んで前記レンズの他端とで前記ベルトとともにニップを形成する形成部材と、
前記ベルトにおける前記頂部に対向する部位の外周面又は前記ベルトにおける前記曲面に対向する部位の外周面であって前記外周面よりも前記ベルトの回転方向下流側の部位に、前記軸方向から見て前記他端で集光される光であって、前記軸に直角の方向から見て前記軸に対して傾斜する方向に進行する光を入射させる光源と、
を備えた定着装置。
【請求項６】
前記外周面を押圧して、前記内周面を前記曲面における前記頂部よりも前記ベルトの回転方向下流側の部位に押付ける押付部材、
を備えた請求項３〜５の何れか１項記載の定着装置。
【請求項７】
媒体に前記被照射物としての現像剤で現像剤像を形成する形成手段と、
前記現像剤に光を照射して前記現像剤を前記媒体に定着させる請求項３〜６の何れか１項記載の定着装置と、
を備えた画像形成装置。
【発明の詳細な説明】
【技術分野】
【０００１】
本発明は、ベルト、定着装置及び画像形成装置に関する。
【背景技術】
【０００２】
特許文献１には、レーザ光が透過可能な透過部３ａを回転させる回転部材３と、回転部材３とで記録媒体１を加圧しながら搬送する対向部材４と、回転部材３内に設けられ、レーザ光を照射するレーザ光照射装置５と、を備えた定着装置４０が記載されている。そして、特許文献１の定着装置４０は、レーザ光照射装置５によりレーザ光を記録媒体１上の画像に透過部３ａを介して照射し、画像を加熱溶融した後に、回転部材３と対向部材４とにより画像を記録媒体に加圧して定着することが記載されている。
【先行技術文献】
【特許文献】
【０００３】
【特許文献１】特開２０１１−１２８２２３号公報
【発明の概要】
【発明が解決しようとする課題】
【０００４】
本発明は、表面に溝が形成されていないベルトに比べて、特定装置においてベルトとして用いた場合、透明ベルトを透過する光の光量の減少を低減することを目的とする。ここで、特定装置は、透明かつ無端状であって、回転するベルトの表面に潤滑液が付着された状態で、光源からの光をベルトを介して被照射物に照射する装置をいう。
【課題を解決するための手段】
【０００５】
請求項１のベルトは、透明かつ無端状であって、内周面又は外周面に溝が形成されており、前記内周面又は前記外周面に潤滑液が付着された状態で、光源からの光を前記内周面及び前記外周面を介して被照射物に照射する装置に用いられる。
【０００６】
請求項２のベルトは、請求項１記載のベルトにおいて、前記内周面又は前記外周面には、前記ベルトの幅方向に沿った断面において曲面状に突出している凸部が連続して並べられ、前記溝は、隣接する前記凸部によって形成されている。
【０００７】
請求項３の定着装置は、軸周りに回転し、前記内周面に潤滑液が付着されている請求項１又は２記載のベルトと、前記軸方向から見て、一端に前記内周面に最も近い頂部を有する曲面が形成され、前記曲面に入射した光を前記被照射物としての被定着物に集光するレンズと、前記ベルトを挟んで前記レンズの他端とで前記ベルトとともにニップを形成する形成部材と、前記ベルトにおける前記曲面に対向する部位の外周面に、前記被定着物に集光される光を入射させる光源と、を備えている。
【０００８】
請求項４の定着装置は、軸周りに回転し、前記内周面に潤滑液が付着されている請求項１又は２記載のベルトと、前記軸方向から見て、一端に前記内周面に最も近い頂部を有する曲面が形成され、前記曲面に入射した光を前記被照射物としての被定着物に集光するレンズと、前記ベルトを挟んで前記レンズの他端とで前記ベルトとともにニップを形成する形成部材と、前記ベルトにおける前記曲面に対向する部位の外周面であって前記頂部に対向する部位の外周面よりも前記ベルトの回転方向下流側に、前記他端で集光される光を入射させる光源と、を備えている。
【０００９】
請求項５の定着装置は、軸周りに回転し、前記内周面に潤滑液が付着されている請求項１又は２記載のベルトと、前記軸方向から見て、一端に前記内周面に最も近い頂部を有する曲面が形成され、前記曲面に入射した光を前記被照射物としての被定着物に集光するレンズと、前記ベルトを挟んで前記レンズの他端とで前記ベルトとともにニップを形成する形成部材と、前記ベルトにおける前記頂部に対向する部位の外周面又は前記ベルトにおける前記曲面に対向する部位の外周面であって前記外周面よりも前記ベルトの回転方向下流側の部位に、前記軸方向から見て前記他端で集光される光であって、前記軸に直角の方向から見て前記軸に対して傾斜する方向に進行する光を入射させる光源と、を備えている。
【００１０】
請求項６の定着装置は、請求項３〜６の何れか１項記載の定着装置において、前記外周面を押圧して、前記内周面を前記曲面における前記頂部よりも前記ベルトの回転方向下流側の部位に押付ける押付部材、を備えている。
【００１１】
請求項７の画像形成装置は、媒体に前記被照射物としての現像剤で現像剤像を形成する形成手段と、前記現像剤に光を照射して前記現像剤を前記媒体に定着させる請求項３〜６の何れか１項記載の定着装置と、を備えている。
【発明の効果】
【００１２】
請求項１のベルトは、表面に溝が形成されていないベルトに比べて、特定装置においてベルトとして用いた場合、透明ベルトを透過する光の光量の減少を低減することを目的とする。ここで、特定装置は、透明かつ無端状であって、回転するベルトの表面に潤滑液が付着された状態で、光源からの光をベルトを介して被照射物に照射する装置をいう。
【００１３】
請求項２のベルトは、開口縁が角を構成している溝が形成されているベルトに比べて、特定装置にベルトとして用いた場合、透明ベルト透過する光の光量を低減することができる。
【００１４】
請求項３の定着装置は、内周面に溝の形成されていないベルトを備えた定着装置に比べて、透明ベルトの軸方向での光の集光のばらつきを低減することができる。
【００１５】
請求項４の定着装置は、ベルトにおけるレンズの一端に形成されている曲面が有する頂部に対向する部位の外周面に光を入射させて他端で集光する定着装置に比べて、タイミングによる光の集光のばらつきを抑制することができる。
【００１６】
請求項５の定着装置は、内周面に溝の形成されていないベルトを備えた定着装置に比べて、透明ベルトの軸方向での光の集光のばらつきを抑制することができる。
【００１７】
請求項６の定着装置は、ベルトの外周面を押圧して、ベルトの内周面をレンズの曲面における頂部よりもベルトの回転方向の下流側の部位に押付ける押付部材を備えていない定着装置に比べて、透明ベルトの軸方向での光の集光のばらつきを抑制することができる。
【００１８】
請求項７の画像形成装置は、ベルトの内周面に溝が形成されていない定着装置を備えた画像形成装置に比べて、定着不良を抑制することができる。
【図面の簡単な説明】
【００１９】
【図１】第１実施形態の画像形成装置を示す概略図(正面図)である。
【図２】第１実施形態の画像形成装置を構成する定着装置を示す概略図（正面図）である。
【図３】第１実施形態の定着装置を構成する透明ベルトの層構成を示す部分断面図である。
【図４】第１実施形態の定着装置を構成する透明ベルトの概略図（斜視図）である。
【図５】（Ａ）は第１実施形態の透明ベルトの部分断面図、（Ｂ）はレンズの頂部を透明ベルトが軸周りに回転している状態でのレンズの頂部周辺の部分断面図を示す。
【図６】第１実施形態の定着装置を構成する光照射部が透明ベルトに光を照射している状態を示す概略図（側面図）を示す。
【図７】比較形態の定着装置における透明ベルトを上側から見た透視図であって、透明ベルトにおける光の入射部位とレンズの頂部付近にオイルが到達して不均一に付着している状態を示す模式図である。
【図８】第１実施形態の定着装置における透明ベルトを上側から見た透視図であって、透明ベルトにおける光の入射部位とレンズの頂部付近にオイルが到達して頂部を通過し均一に付着している状態を示す模式図である。
【図９】第１実施形態の透明ベルトの変形例（第１変形例）の透明ベルトの部分断面図である。
【図１０】第１実施形態の透明ベルトの変形例（第２変形例）の透明ベルトと、当該透明ベルトに入射する光の経路を示す部分断面図である。
【図１１】第２実施形態の画像形成装置を構成する定着装置を示す概略図（正面図）である。
【図１２】第２実施形態の定着装置を構成する加熱部の一部を示す概略図（正面図）であって、破線で挟まれた部位は、透明ベルトが軸周りに回転する際、透明ベルトの上下方向の振幅を示す図である。
【図１３】第３実施形態の画像形成装置を構成する定着装置を示す概略図（正面図）である。
【図１４】第４実施形態の画像形成装置を構成する定着装置を示す概略図（正面図）である。
【図１５】（Ａ）、（Ｂ）及び（Ｃ）は、第１〜第４実施形態の定着装置を構成する透明ベルトの変形例の概略図（斜視図）である。
【図１６】比較形態の定着装置を構成する透明ベルトの概略図（斜視図）である。
【発明を実施するための形態】
【００２０】
≪概要≫
以下、発明を実施するための形態（以下、実施形態という。）である４つの実施形態（第１〜第４実施形態）について、図面を参照しつつ説明する。
【００２１】
以下の説明では、図面に矢印Ｘ及び矢印−Ｘで示す方向を装置幅方向、図面に矢印Ｙ及び矢印−Ｙで示す方向を装置高さ方向とする。また、装置幅方向及び装置高さ方向のそれぞれに直交する方向（矢印Ｚ及び矢印−Ｚ方向）を装置奥行き方向とする。さらに、装置幅方向、装置高さ方向及び装置奥行き方向についてそれぞれの一方側と他方側とを区別する必要がある場合には、矢印Ｘ側を一方側、矢印−Ｘ側を他方側とし、矢印Ｙ側を上側、矢印−Ｙ側を下側とし、矢印Ｚ側を奥側、矢印−Ｚ側を手前側とする。ここで、装置奥行き方向は、軸方向の一例である。
【００２２】
≪第１実施形態≫
［概要］
以下、本実施形態について説明する。まず、本実施形態の画像形成装置１０の全体構成について説明する。次いで、本実施形態の定着装置２０の構成について説明する。次いで、本実施形態の画像形成装置１０の動作について説明する。次いで、本実施形態の作用について説明する。
【００２３】
［画像形成装置の全体構成］
画像形成装置１０は、図１に示されるように、搬送部１２と、トナー画像形成部１４と、制御部１６と、定着装置２０と、を含んで構成される電子写真方式の画像形成装置とされている。搬送部１２は、媒体Ｐを搬送する機能を有する。トナー画像形成部１４は、帯電、露光、現像、転写の各工程を行って、搬送される媒体Ｐ上にトナーＴで構成されるトナー像Ｇを形成する機能を有する。制御部１６は、画像形成装置１０を構成する制御部１６以外の各部を制御する機能を有する。定着装置２０は、トナー像Ｇを媒体Ｐ上に定着する機能を有する。ここで、トナーＴは、現像剤の一例、被照射物及び被定着物の一例である。トナー像Ｇは、現像剤像の一例である。トナー画像形成部１４は、形成手段の一例である。
【００２４】
［定着装置］
定着装置２０は、図２に示されるように、加熱部３０と、加圧部４０と、を含んで構成されている。ここで、定着装置２０は、「発明が解決しようとする課題」の欄及び「発明の効果」の欄において説明した特定装置の一例である。
【００２５】
〔加熱部〕
加熱部３０は、トナー画像形成部１４により媒体Ｐ上に形成されたトナー像Ｇを、加熱する機能を有する。加熱部３０は、本体５０と、光照射部６０と、備えている。
【００２６】
〈本体〉
本体５０は、透明ベルト５２と、キャップ（図示省略）と、ギア（図示省）と、レンズ５４と、ガイド部５６と、潤滑液供給部５８（以下、供給部５８という。）と、を備えている。ここで、透明ベルト５２は、ベルトの一例である。
【００２７】
（透明ベルト）
透明ベルト５２は、無端状（筒状）とされており、その軸（図４の一点鎖線ＣＬ）が装置奥行き方向に沿った状態で配置されている。また、透明ベルト５２の装置奥行き方向手前側の端部にはキャップ（図示省略）がはめ込まれ、装置奥行き方向奥側の端部にはギア（図示省略）が嵌め込まれている。そして、ギア（図示省略）が駆動源（図示省略）により軸（自らの軸）周りに回転されることに伴い、透明ベルト５２は、軸周りに（図中矢印Ｒ１方向に）回転するようになっている。なお、透明ベルト５２は、後述する筒体４２が軸周りに回転することに伴い、筒体４２に従動して軸周りに回転するようになっている。そして、上記駆動源は、透明ベルト５２の周速が筒体４２の周速と同等となるように、透明ベルト５２を駆動させる機能（筒体４２による透明ベルト５２の従動回転を補助する機能）を有する。そのため、上記駆動源が透明ベルト５２を回転させる駆動トルクは、筒体４２を回転させる駆動源（図示省略）が筒体４２を回転させる駆動トルクよりも小さい。
【００２８】
透明ベルト５２は、後述する光照射部６０が照射する光ＬＢ（レーザ光）の一部を透過するように構成されている。本実施形態では、透明ベルト５２における光照射部６０が照射する光ＬＢの透過率（透明ベルト５２の外周面から入射した光ＬＢのうち透明ベルト５２を通過して内周面から出射する光ＬＢの百分率）は、一例として９５％とされている。
【００２９】
透明ベルト５２は、図３に示されるように、その内周側から外周側に亘って、基材層５２Ａと、基材層５２に積層されている弾性層５２Ｂと、弾性層５２Ｂに積層されている離型層５２Ｃとの３層で構成されている。なお、基材層５２Ａは透明ベルト５２に必要な強度を維持させ、弾性層５２Ｂは透明ベルト５２に弾性体としての性質を持たせ、離型層５２Ｃは媒体Ｐ上の加熱されたトナーＴが透明ベルト５２にオフセットし難くする機能を有する。
【００３０】
また、透明ベルト５２の内周面には、図４及び図５（Ａ）及び（Ｂ）に示されるように、透明ベルト５２の周方向全周に亘って透明ベルト５２の内側（軸ＣＬ側）に突出している曲面状の凸部ＣＳが、複数形成されている。各凸部ＣＳの縁は、透明ベルト５２を軸ＣＬ全体を含む仮想平面で切った断面で見ると、図５（Ａ）及び（Ｂ）に示されるように、透明ベルト５２の内側に突出し、軸ＣＬに最も近い頂部ＣＳ１を有する曲線を形成している。そして、各凸部ＣＳは、透明ベルト５２の軸方向に連続して並んでいる。換言すると、各凸部ＣＳは、透明ベルト５２の周方向全周に亘り、透明ベルト５２の内側に曲面状に突出している。そして、各凸部ＣＳは、透明ベルト５２の軸方向で隣接する他の凸部ＣＳと連続して並べられている。
【００３１】
また、隣接する凸部ＣＳの頂部ＣＳ１同士の間には、図４及び図５（Ａ）及び（Ｂ）に示されるように、溝Ｄが形成されている。各溝Ｄは、前述の凸部ＣＳとの関係から、透明ベルト５２の全周に亘って形成されている。なお、凸部ＣＳの装置奥行き方向の幅は一例として５０μｍ以上１００μｍ以下、凸部ＣＳの高さ（装置高さ方向における隣接する凸部ＣＳの境界から凸部ＣＳの頂部ＣＳ１までの距離）は一例として１０μｍ以上３０μｍ以下とされている。本実施形態では、凸部ＣＳの装置奥行き方向の幅は一例として５０μｍ、凸部ＣＳの高さは一例として２０μｍとされている。
【００３２】
（レンズ）
レンズ５４は、図２に示されるように、装置奥行き方向から見て、一端に入射した光ＬＢを他端で集光する機能を有する。
【００３３】
レンズ５４は、透明ベルト５２内に配置されている。レンズ５４は、装置奥行き方向から見ると長尺とされており、その長手方向が装置高さ方向に沿った状態で配置されている。また、レンズ５４は、装置幅方向から見ると長尺とされており、その長手方向が装置奥行き方向に沿った状態で配置されている（図示省略）。
【００３４】
レンズ５４の装置高さ方向上側の端部（一端）には、透明ベルト５２の内周面に最も近い頂部ＴＳ１を有する、装置高さ方向上側に突出している曲面５４Ａが形成されている。また、レンズ５４の装置高さ方向下側の端部（他端）には、装置高さ方向下側に突出している曲面５４Ｂが形成されている。そして、頂部ＴＳ１には、後述するシリコーンオイルＯを介して透明ベルト５２の内周面（内周面のうち溝Ｄ以外の部分）が接触するようになっている。別の見方をすれば、頂部ＴＳ１における透明ベルト５２の溝Ｄに対向する部位は、透明ベルト５２と隙間を形成している。また、レンズ５４の曲面５４Ｂには、シリコーンオイルＯを介して透明ベルト５２が巻き掛けられている。なお、曲面５４Ａの曲率は、曲面５４Ｂの曲率よりも大きい。また、レンズ５４における装置奥行き方向から見た短手方向の両端には、装置高さ方向に沿った平面５４Ｃが形成されている。
【００３５】
また、レンズ５４は、装置奥行き方向から見ると、頂部ＴＳ１を通る装置高さ方向に沿った仮想直線（図中の一点鎖線）に対して線対称とされている。
【００３６】
以上のような構成とされているため、レンズ５４は、装置奥行き方向から見ると、装置高さ方向を進行方向し、曲面５４Ａに入射する光ＬＢを、曲面５４Ｂの中心部分ＴＳ２（図中の一点鎖線と重なる部分をいう。）に集光するようになっている。また、レンズ５４の曲面５４Ａ及び曲面５４Ｂは、透明ベルト５２の内周面と摺動する。
【００３７】
（ガイド部）
ガイド部５６は、図２に示されるように、装置幅方向両側からレンズ５４を挟んで支持する機能と、軸周りに回転する透明ベルト５２が筒状のまま回転するようにガイドする機能と、を有する。ガイド部５６は、第１ガイド部５６Ａと、第２ガイド部５６Ｂと、を備えている。第１ガイド部５６Ａ及び第２ガイド部５６Ｂは、何れも長尺とされており、それらの長手方向が装置奥行き方向に沿った状態で、透明ベルト５２内に配置されている。
【００３８】
第１ガイド部５６Ａの装置幅方向一方側（−Ｘ方向側）には、装置奥行き方向から見ると、装置高さ方向に沿う平面５６Ａ１が形成されている。また、第１ガイド部５６Ａの装置幅方向他方側（Ｘ方向側）には、装置奥行き方向から見ると、装置奥行き方向他方側に突出する湾曲面５６Ａ２が形成されている。
【００３９】
第２ガイド部５６Ｂの装置幅方向一方側には、装置奥行き方向から見ると、装置奥行き方向一方側に突出する湾曲面５６Ｂ２が形成されている。また、第２ガイド部５６Ｂの装置幅方向他方側には、装置奥行き方向から見ると、装置高さ方向に沿う平面５６Ｂ１が形成されている。なお、湾曲面５６Ｂ２には、装置幅方向一方側に開口する凹部５６Ｂ３が装置奥行き方向全域に亘って形成されている。凹部５６Ｂ３には、後述する供給部５８が収容されている。
【００４０】
また、平面５６Ａ１及び平面５６Ｂ１の短手方向の幅は、レンズ５４の平面５４Ｃの短手方向の幅と同等されている。そして、ガイド部５６は、第１ガイド部５６Ａの平面５６Ａ１の全域がレンズ５４の装置幅方向他方側の平面５４Ｃ全域に重なり、第２ガイド部５６Ｂの平面５６Ｂ１の全域がレンズ５４の装置幅方向一方側の平面５４Ｃ全域に重なった状態で、レンズ５４を支持している。
【００４１】
なお、第１ガイド部５６Ａの湾曲面５６Ａ２及び第２ガイド部５６Ｂの湾曲面５６Ｂ２の曲率は、レンズ５４の曲面５４Ａの曲率よりも小さい。そのため、装置奥行き方向から見て、湾曲面５６Ａ２と曲面５４Ａとの境界及び湾曲面５６Ｂ２と曲面５４Ａとの境界は、不連続な曲面で繋がっている。これに対して、第１ガイド部５６Ａの湾曲面５６Ａ２及び第２ガイド部５６Ｂの湾曲面５６Ｂ２の曲率は、レンズ５４の曲面５４Ｂの曲率と同等とされている。そのため、装置奥行き方向から見て、湾曲面５６Ａ２と曲面５４Ｂとの境界及び湾曲面５６Ｂ２と曲面５４Ｂとの境界は、連続な曲面で繋がっている。
【００４２】
（供給部）
供給部５８は、透明ベルト５２の内周面に、シリコーンオイルＯ（図７及び図８参照）を供給する機能を有する。ここで、シリコーンオイルＯは、潤滑液の一例である。なお、シリコーンオイルＯは、レンズ５４の曲面５４Ｂと、軸周りに回転する透明ベルト５２の内周面との間に介在することで、レンズ５４の曲面５４Ｂに対する透明ベルト５２の滑り性を向上させるため（摩擦を低減させるため）のものである。また、シリコーンオイルＯは、光ＬＢを透過させることができる。
【００４３】
供給部５８は、長尺とされている。そして、供給部５８は、図２に示されるように、その長手方向が装置奥行き方向に沿った状態で、第２ガイド部５６Ｂに形成された凹部５６Ｂ３内に一部がはみ出した状態で収容されている。また、供給部５８における凹部５６Ｂ３からはみ出した部位が、透明ベルト５２の内周面に接触している。本実施形態の供給部５８は、一例としてフェルト材で構成されており、フェルト材にはシリコーンオイルＯが含浸されている。そのため、供給部５８は、含浸されているシリコーンオイルＯを透明ベルト５２の内周面における供給部５８が接触する部位に供給するようになっている。その結果、供給部５８に含浸されているシリコーンオイルＯは、透明ベルト５２が軸周りに回転することで、透明ベルト５２の内周面全域に供給されるようになっている。
【００４４】
〈光照射部〉
光照射部６０は、媒体Ｐ上に形成されたトナー像Ｇを加熱するための光ＬＢを照射する機能を有する。光照射部６０は、図２及び図６に示されるように、レーザアレイ６２と、コリメートレンズ６４と、を備えている。本実施形態の加熱部３０では、光照射部６０が、装置奥行き方向に沿って、複数配列されている。各光照射部６０は、透明ベルト５２の上側に配置されている。また、各レーザアレイ６２は、装置奥行き方向に沿って、光源６６が複数個配列されて構成されている。
【００４５】
光源６６は、図２に示されるように、装置奥行き方向から見ると、透明ベルト５２におけるレンズ５４の頂部ＴＳ１に対向する部位の外周面に、装置高さ方向に沿って進行する光ＬＢを入射させるようになっている。具体的には、光源６６は、光ＬＢの光軸（図中一点鎖線）が装置奥行き方向から見てレンズ５４の頂部ＴＳ１に重なる位置に配置されている。
【００４６】
また、光源６６は、図６に示されるように、装置幅方向から見ると、装置高さ方向に進行する光ＬＢ（図中の一点鎖線）と、装置高さ方向に対して傾斜する方向に進行する光ＬＢ（図中の破線）とを、透明ベルト５２の外周面に入射させるようになっている。ここで、装置幅方向から見て装置高さ方向に対して傾斜する方向は、透明ベルト５２の軸に対して傾斜する方向の一例である。なお、各光照射部６０は、隣接する光照射部６０のうち一の光照射部６０の光源６６が照射する光ＬＢと、他の光照射部６０の光源６６が照射する光ＬＢとが、透明ベルト５２の外周面に重なって入射するように、配列されている。
【００４７】
〔加圧部〕
加圧部４０は、図２に示されるように、透明ベルト５２を挟んでレンズ５４の曲面５４Ｂの反対側で透明ベルト５２の外周面に接触して透明ベルト５２とともにニップＮを形成する機能を有する。そして、加圧部４０は、ニップＮに搬送される媒体Ｐ上のトナー像Ｇを透明ベルト５２とともに加圧する機能を有する。ここで、加圧部４０は、形成部材の一例である。
【００４８】
加圧部４０は、筒体４２と、キャップ（図示省略）と、ギア（図示省略）と、を備えている。筒体４２は、装置奥行き方向に沿って配置されている。また、筒体４２の装置奥行き方向手前側の端部にはキャップ（図示省略）がはめ込まれ、装置奥行き方向奥側の端部にはギア（図示省略）が嵌め込まれている。そして、ギア（図示省略）が駆動源（図示省略）により軸（自らの軸）周りに回転されることに伴い、筒体４２は、軸周りに（図中矢印Ｒ２方向に）回転するようになっている。
【００４９】
筒体４２は、変形可能に構成されており、透明ベルト５２を挟んだレンズ５４の曲面５４Ｂの反対側の部位において、接触する透明ベルト５２が食い込んだ状態で、ニップＮを形成している。また、ニップＮは、曲面５４Ｂの中心部分ＴＳ２に対向する透明ベルト５２の外周面の部位を含んで形成されている。そのため、筒体４２が媒体Ｐを加圧する部位には、光源６６が照射した光ＬＢが集光するように構成されている。
【００５０】
〔補足〕
以上の説明では、定着装置２０の構成要素に分けて、定着装置２０の構成を説明した。ここでは、定着装置２０の構成要素間の関係について、補足する。
【００５１】
〈補足１〉
前述のとおり、レンズ５４の曲面５４Ａが有する頂部ＴＳ１は、透明ベルト５２の内周面に最も近い。別の見方をすれば、曲面５４Ａにおける頂部ＴＳ１以外の部位は、透明ベルト５２の内周面と隙間を形成している。ここで、図２に示されるように、透明ベルト５２における頂部ＴＳ１と対向する部位に対して、透明ベルト５２の回転方向上流側の隙間を隙間ＧＡ１といい、透明ベルト５２の回転方向下流側の隙間を隙間ＧＡ２という。
【００５２】
〈補足２〉
前述のとおり、供給部５８に含浸されているシリコーンオイルＯは、透明ベルト５２が軸周りに回転することで、透明ベルト５２の内周面全域に供給されるようになっている。そのため、透明ベルト５２は、その内周面にシリコーンオイルＯが付着されている状態で、軸周りに回転するようになっている。
【００５３】
〈補足３〉
透明ベルト５２を別言すると、透明ベルト５２は、透明かつ無端状であって、内周面に溝Ｄが形成されており、内周面に潤滑液Ｏが付着された状態で、外周面から入射する光ＬＢを、内周面と摺動するレンズ５４によって外周面における光ＬＢの入射位置とは異なる周方向Ｒ１の位置に押し付けられる媒体Ｐ上の現像剤像Ｇに集光する装置２０に用いられるものとされる。
【００５４】
以上が、本実施形態の画像形成装置１０の構成及び定着装置２０の構成についての説明である。
【００５５】
［画像形成装置の動作］
次に、本実施形態の画像形成装置１０の動作について、図面を参照しつつ説明する。
【００５６】
画像形成指令を受けた制御部１６は、搬送部１２、トナー画像形成部１４及び定着装置２０を作動させる。そうすると、トナー画像形成部１４では、帯電、露光、現像、転写の各工程が行われ、搬送部１２により搬送される媒体Ｐ上にトナー像Ｇが形成される。そして、トナー像Ｇが形成された媒体Ｐは、搬送部１２により定着装置２０に向けて搬送される。トナー像Ｇが形成された媒体Ｐは、定着装置２０における透明ベルト５２と筒体４２とにより形成されるニップＮを通過する。その際、媒体Ｐ上のトナー像Ｇは、筒体４２により加圧される。また、前述のとおり、筒体４２が媒体Ｐを加圧する部位には光源６６が照射した光ＬＢが集光するように構成されていることから、媒体Ｐ上のトナー像Ｇは、ニップＮを通過する期間のうちの一部の期間、レンズ５４の曲面５４Ｂに集光される光ＬＢにより加熱される。これにより、ニップＮを通過した媒体Ｐ上のトナー像Ｇは、媒体Ｐに定着される。トナー像Ｇが定着された媒体Ｐは、画像形成装置１０の外に排出されて、画像形成装置１０の動作が終了する。
【００５７】
以上が、画像形成装置１０の動作についての説明である。
【００５８】
［作用］
次に、本実施形態の作用について図面を参照しつつ説明する。
【００５９】
〔透明ベルトの内周面に溝が形成されていることに基づく作用〕
以下、本実施形態の透明ベルト５２の内周面に溝Ｄが形成されていることに基づく作用について説明する。ここでは、本実施形態と、以下に説明する比較形態とを比較して、本実施形態の作用を説明する。なお、比較形態において、本実施形態の画像形成装置１０と同様の構成要素を用いる場合、その構成要素等の符号等をそのまま用いて説明する。
【００６０】
比較形態の透明ベルト５２Ｄの内周面には、図７及び図１６に示されるように、溝Ｄが形成されていない。比較形態の透明ベルト５２Ｄは、この点以外は、本実施形態の透明ベルト５２と同様の構成とされている。また、比較形態の定着装置２０Ａは、本実施形態の透明ベルト５２に換えて透明ベルト５２Ｄを備えている点以外、本実施形態の定着装置２０と同様の構成とされている。また、比較形態の画像形成装置１０Ａは、本実施形態の定着装置２０に換えて比較形態の定着装置２０Ａを備える点以外、本実施形態の画像形成装置１０と同様の構成とされている。
【００６１】
比較形態の定着装置２０Ａは、前述のとおり、本実施形態の定着装置２０の透明ベルト５２を透明ベルト５２Ｄに換えたものである。そうすると、定着装置２０Ａは、レンズ５４の曲面５４Ａのうち頂部ＴＳ１が透明ベルト５２Ｄの内周面に最も近い構成とされている。そのため、定着装置２０Ａでは、透明ベルト５２Ｄの回転に伴い、シリコーンオイルＯは、頂部ＴＳ１付近まで到達するが、シリコーンオイルＯと透明ベルト５２Ｄとの付着力及び頂部ＴＳ１と透明ベルト５２Ｄとの離間距離が狭いことの関係等により頂部ＴＳ１を越えて移動し難い。そうすると、レンズ５４の頂部ＴＳ１には、図７に示されるように、装置奥行き方向（光ＬＢの照射幅方向）においてシリコーンオイルＯが不均一に付着した状態となる場合がある。
【００６２】
そして、この場合、レンズ５４の頂部ＴＳ１に光軸が重なった状態で曲面５４Ａに入射される光ＬＢは、透明ベルト５２Ｄを透過後、シリコーンオイルＯを介して入射される光ＬＢと、シリコーンオイルＯを介さず空気層を介して入射される光ＬＢとが混在する。そのため、比較形態の定着装置２０Ａの場合、曲面５４Ｂにおける光ＬＢの照射幅全域に到達する光ＬＢは、シリコーンオイルＯと空気層との光ＬＢに対する吸収率の違いに起因して、光ＬＢの照射幅方向（透明ベルト５２Ｄの軸方向）で光ＬＢがばらついて集光する（軸方向での光の集光のばらつき）。
【００６３】
これに対して、本実施形態の透明ベルト５２は、図４、図５（Ａ）及び（Ｂ）に示されるように、その内周面に溝Ｄが形成されている。そのため、本実施形態は比較形態に比べて（図７と図８とを比べて）、供給部５８で透明ベルト５２の内周面に供給されたシリコーンオイルＯは、溝Ｄの溝壁に付着した状態で頂部ＴＳ１付近まで到達した後、更に頂部ＴＳ１及び頂部ＴＳ１を越えた部位まで移動し易い。その結果、本実施形態は、比較形態に比べて、レンズ５４の頂部ＴＳ１の装置奥行き方向（光ＬＢの照射幅方向）にシリコーンオイルＯが不均一に付着し難い。
【００６４】
また、別の見方をすると、本実施形態の透明ベルト５２の内周面には、凸部ＣＳ及び溝Ｄが複数形成されていることから、本実施形態の透明ベルト５２は、比較形態の透明ベルト５２Ｄに比べて、内周面の面積が大きい。そのため、本実施形態の透明ベルト５２は、比較形態の透明ベルト５２Ｄに比べて、頂部ＴＳ１を越えた部位まで多量のシリコーンオイルＯを搬送し易い。その結果、本実施形態は、比較形態に比べて、レンズ５４の頂部ＴＳ１の装置奥行き方向（光ＬＢの照射幅方向）にシリコーンオイルＯが不均一に付着し難い。
【００６５】
したがって、本実施形態の透明ベルト５２によれば、比較形態の透明ベルト５２Ｄに比べて、定着装置２０の透明ベルトとして用いた場合、透明ベルト５２を透過する光ＬＢの光量の減少を低減することができる。また、本実施形態の透明ベルト５２によれば、比較形態の透明ベルト５２Ｄに比べて、定着装置２０の透明ベルトとして用いた場合、透明ベルト５２の軸方向での光ＬＢの集光のばらつきを抑制することができる。これに伴い、本実施形態の定着装置２０によれば、比較形態の定着装置２０Ａに比べて、透明ベルト５２の軸方向での光ＬＢの集光のばらつきに起因する定着不良を抑制することができる。また、本実施形態の画像形成装置１０によれば、比較形態の画像形成装置１０Ａに比べて、上記定着不良に起因する画像形成不良を抑制することができる。
【００６６】
〔透明ベルトの内周面の溝が隣接する凸部により形成されていることに基づく作用〕
以下、本実施形態の透明ベルト５２の内周面の溝Ｄが隣接する凸部ＣＳにより形成されていることに基づく作用について説明する。ここでは、本実施形態と、以下に説明する第１変形例の透明ベルト５２Ｅ及び第２変形例の透明ベルト５２Ｆとを比較して、本実施形態の作用を説明する。また、比較形態において、本実施形態の画像形成装置１０と同様の構成要素を用いる場合、その構成要素等の符号等をそのまま用いて説明する。なお、透明ベルト５２Ｅ及び透明ベルト５２Ｆは、本発明の一態様である。すなわち、透明ベルト５２Ｅ及び透明ベルト５２Ｆは、ベルトの一例である。
【００６７】
〈第１変形例との比較〉
第１変形例の透明ベルト５２Ｅの内周面には、図９に示されるように、透明ベルト５２Ｅの周方向全周に亘って透明ベルト５２の内側（軸ＣＬ側）に突出している凸部ＣＳ１が、複数形成されている。各凸部ＣＳ１は、透明ベルト５２Ｅを軸ＣＬ全体を含む仮想平面で切った断面（図９）で見ると、透明ベルト５２Ｅの内側に突出する三角波状の折れ線を形成している。換言すると、各凸部ＣＳ１は、透明ベルト５２Ｅの周方向全周に亘り、透明ベルト５２の内側に突出する角Ｅ１を有している。そして、各凸部ＣＳ１は、透明ベルト５２Ｅの軸方向で隣接する他の凸部ＣＳ１と連続して並べられている。また、隣接する凸部ＣＳの頂部ＣＳ１同士の間には、図４及び図５（Ａ）及び（Ｂ）に示されるように、溝Ｄが形成されている。第１変形例の透明ベルト５２Ｅは、上記の点以外は本実施形態の透明ベルト５２と同様の構成とされている。
【００６８】
第１変形例の透明ベルト５２Ｅは、軸周りに回転すると、レンズ５４の頂部ＴＳ１に対して、シリコーンオイルＯを介して透明ベルト５２Ｅの内周面の角Ｅ１で接触する。
【００６９】
これに対して、本実施形態の透明ベルト５２の凸部ＣＳには、図５（Ａ）及び（Ｂ）に示されるように、透明ベルト５２の内側に曲面状に突出している。そして、本実施形態の透明ベルト５２は、軸周りに回転すると、レンズ５４の頂部ＴＳ１に対して、シリコーンオイルＯを介して曲面で接触する。そのため、本実施形態の透明ベルト５２は、第１変形例の透明ベルト５２Ｅに比べて、凸部ＣＳが磨耗し難い（寿命が長い）。なお、第１変形例の作用は、この点以外、本実施形態と作用と同様である。
【００７０】
したがって、本実施形態の透明ベルト５２は、第１変形例の透明ベルト５２Ｅに比べて、定着装置２０の透明ベルトとして用いた場合、透明ベルト５２の軸方向での光ＬＢの集光のばらつきに起因する定着不良を長い期間に亘って抑制することができる。
【００７１】
〈第２変形例との比較〉
第２変形例の透明ベルト５２Ｆの内周面には、図１０に示されるように、透明ベルト５２Ｆの周方向全周に亘って透明ベルト５２の内側（軸ＣＬ側）に突出している凸部ＣＳ２が、複数形成されている。各凸部ＣＳ２は、透明ベルト５２Ｆを軸ＣＬ全体を含む仮想平面で切った断面（図１０）で見ると、透明ベルト５２Ｆの内側に突出する矩形とされている。また、各凸部ＣＳ２は、透明ベルト５２Ｅの軸方向で隣接する他の凸部ＣＳ２と離れて並べられている。そして、隣接する凸部ＣＳ２同士の間には、３つの壁を有する矩形状の溝Ｄ２が形成されている。そのため、各溝Ｄ２には４本のエッジ部分Ｅ２が形成されている。第２変形例の透明ベルト５２Ｆは、上記の点以外は本実施形態の透明ベルト５２と同様の構成とされている。
【００７２】
第２変形例の透明ベルト５２Ｆは、本実施形態の透明ベルト５２のように、溝Ｄ２の溝壁にシリコーンオイルＯを付着させて、シリコーンオイルＯを搬送することが可能である。しかしながら、図１０に示されるように、第２変形例の透明ベルト５２Ｆの外周面に、装置幅方向から見て装置高さ方向に対し傾斜する方向に進行する光ＬＢ（図中の破線）が入射すると、一部の光ＬＢは、溝Ｄ２のエッジ部分Ｅ２に到達する。そして、溝Ｄ２のエッジ部分Ｅ２に入射する光ＬＢは、エッジ部分Ｅ２で散乱される。
【００７３】
これに対して、本実施形態の透明ベルト５２の溝Ｄは、図５（Ａ）及び（Ｂ）に示されるように、本実施形態の各溝Ｄに形成されているエッジ部分の本数（１本）は、第２変形例の透明ベルト５２Ｆの各溝Ｄ２に形成されているエッジ部分Ｅ２の本数（４本）よりも少ない。そのため、本実施形態の透明ベルト５２は、第２変形例の透明ベルト５２Ｆに比べて、溝Ｄのエッジ部分に到達した光ＬＢが散乱し難い。
【００７４】
したがって、本実施形態の透明ベルト５２は、第２変形例の透明ベルト５２Ｆに比べて、定着装置２０の透明ベルトとして用いた場合、透明ベルト５２の軸方向での光ＬＢの集光のばらつきに起因する定着不良を抑制することができる。
【００７５】
≪第２実施形態≫
次に、第３実施形態の定着装置２０Ｂについて、図１１を参照しつつ説明する。なお、本実施形態において、第１実施形態の画像形成装置１０と同様の構成要素を用いる場合、その構成要素等の符号等をそのまま用いて説明する。
【００７６】
［構成］
本実施形態の定着装置２０Ｂは、第１実施形態の定着装置２０に対して、光照射部６０の本体５０に対する配置が異なる。具体的には、光照射部６０は、装置奥行き方向から見ると、レンズ５４の頂部ＴＳ１に対して、透明ベルト５２の回転方向下流側（装置幅方向一方側）にずれた位置に配置されている。そのため、光源６６は、透明ベルト５２におけるレンズ５４の頂部ＴＳ１に対向する部位の外周面よりも透明ベルト５２の回転方向下流側の部位であって、レンズ５４の曲面５４Ａに重なる部位に、装置高さ方向に沿って進行する光ＬＢを入射させるようになっている。本実施形態の定着装置２０Ｂは、この点以外は第１実施形態の定着装置２０と同様の構成とされている。また、本実施形態の画像形成装置１０Ｂは、第１実施形態の定着装置２０に換えて本実施形態の定着装置２０Ｂを備える点以外、本実施形態の画像形成装置１０と同様の構成とされている。
【００７７】
［作用］
本実施形態の定着装置２０Ｂでは、透明ベルト５２は、曲面５４Ａに対向する部位が上下方向に振動しながら、自軸周りに回転する。また、本実施形態の定着装置２０Ｂを観察したところ、透明ベルト５２の上下方向の振幅は、図１２に示されるように、レンズ５４の曲面５４Ａと対向する部位が回転方向上流側から回転方向下流側に亘って徐々に小さくなっていることが確認された。なお、図１２における破線で挟まれた部位Ｓは、透明ベルト５２の軸方向から見て、回転する透明ベルト５２における曲面５４Ａに対向する部位の振幅を誇張して記載している。また、透明ベルト５２の上下方向の振幅が図１２のようになるメカニズムは、以下のように推定される。すなわち、透明ベルト５２は、筒体４２にニップＮで従動して軸周りに回転する。ここで、回転する透明ベルト５２を、便宜上、回転方向において、頂部ＴＳ１に対向する部位からニップＮまでの部分（以下、第１部分という。）と、ニップＮから頂部ＴＳ１に対向する部分（以下、第２部分という。）とに分ける。そうすると、第１部分はニップＮで引っ張られている部分であり、第２部分はニップＮで押し出されている部分と考えられる。つまり、第１部分は第２部分に比べて透明ベルト５２の回転方向に張った状態となっている。別の見方をすれば、第２部分は第１部分に比べて、透明ベルト５２が緩んだ状態となっている。そのため、第１部分は、第２部分よりも上下方向の振幅が小さい。そして、頂部ＴＳ１は、第１部分と第２部分の中央の部位に位置することから、透明ベルト５２における頂部ＴＳ１に対向する部位の上下方向の振幅は、第２部分よりも小さく、第１部分よりも大きいと推定される。
【００７８】
そして、上下方向に振動する透明ベルト５２を透過した光ＬＢがレンズ５４の曲面５４Ａに入射すると、レンズの他端には、集光するタイミングによって光ＬＢがばらついて集光する（タイミングによる光の集光のばらつき）。
【００７９】
本実施形態の定着装置２０Ｂの光源６６は、前述のとおり、透明ベルト５２の曲面５４Ａに対向する部位であって頂部ＴＳ１と対向する部位に対して回転方向下流側の部位に、光ＬＢを入射させる。そのため、本実施形態の定着装置２０Ｂの光源６６が照射する光ＬＢは、第１実施形態の定着装置２０の光源６６が照射する光ＬＢに比べて、透明ベルト５２における振幅が小さい部位に入射される。
【００８０】
したがって、本実施形態の定着装置２０Ｂによれば、第１実施形態の定着装置２０に比べて、タイミングによる光ＬＢの集光のばらつきに起因する定着不良を抑制することができる。これに伴い、本実施形態の画像形成装置１０Ｂによれば、第１実施形態の画像形成装置１０に比べて、上記定着不良に起因する画像形成不良を抑制することができる。
【００８１】
≪第３実施形態≫
次に、第３実施形態の定着装置２０Ｃについて、図１３を参照しつつ説明する。なお、本実施形態において、第１実施形態の画像形成装置１０と同様の構成要素を用いる場合、その構成要素等の符号等をそのまま用いて説明する。
【００８２】
［構成］
本実施形態の定着装置２０Ｃは、図１３に示されるように、透明ベルト５２の外周面を押圧して、透明ベルト５２の内周面をレンズ５４の曲面５４Ａにおける頂部ＴＳ１よりも透明ベルト５２の回転方向の下流側の部位に押付ける押付部材７０を備えている。本実施形態の定着装置２０Ｃは、この点以外は、第１実施形態の定着装置２０と同様の構成とされている。また、本実施形態の画像形成装置１０Ｃは、本実施形態の定着装置２０Ｃを備える点以外は、第１実施形態の画像形成装置１０と同様の構成とされている。
【００８３】
押付部材７０は、軸周りに回転可能とされる長尺状のロールとされている。押付部材７０は、その軸方向が装置奥行き方向に沿った状態で配置されている。また、押付部材７０は、透明ベルト５２の回転に伴い、透明ベルト５２に従動して矢印Ｒ３方向に回転するようになっている。そして、押付部材７０は、透明ベルト５２の内周面をレンズ５４の曲面５４Ａにおける頂部ＴＳ１よりも透明ベルト５２の回転方向の下流側の部位に押付けることで、第１実施形態の定着装置２０に比べて、隙間ＧＡ２を小さくするように構成されている。
【００８４】
［作用］
前述のとおり、本実施形態の定着装置２０Ｃの場合、押付部材７０は透明ベルト５２をレンズ５４の曲面５４Ａにおける頂部ＴＳ１よりも透明ベルト５２の回転方向の下流側の部位に押付けている。別の見方をすると、透明ベルト５２は、レンズ５４の曲面５４Ａにおける頂部ＴＳ１よりも透明ベルト５２の回転方向下流側の部位であって、少なくとも光ＬＢが入射する部位に巻き掛かっている。そのため、本実施形態の定着装置２０Ｃは、第１実施形態の定着装置２０に比べて、回転する透明ベルト５２における曲面５４Ａに対向する部位の上下方向の振幅が小さい。
【００８５】
したがって、本実施形態の定着装置２０Ｃによれば、第１実施形態の定着装置２０に比べて、透明ベルト５２の軸方向での光ＬＢの集光のばらつきに起因する定着不良を抑制することができる。これに伴い、本実施形態の画像形成装置１０Ｃによれば、第１実施形態の画像形成装置１０に比べて、上記定着不良に起因する画像形成不良を抑制することができる。なお、本実施形態のその他の作用は、第１実施形態の場合と同様である。
【００８６】
≪第４実施形態≫
次に、第４実施形態の定着装置２０Ｄについて、図１４を参照しつつ説明する。なお、本実施形態において、第１実施形態の画像形成装置１０及び第３実施形態の画像形成装置１０Ｃと同様の構成要素を用いる場合、その構成要素等の符号等をそのまま用いて説明する。
【００８７】
［構成］
本実施形態の定着装置２０Ｄは、光照射部６０の本体５０に対する配置が第２実施形態の定着装置２０Ｂの場合と同様の配置とされている。具体的には、光照射部６０は、装置奥行き方向から見ると、レンズ５４の頂部ＴＳ１に対して、透明ベルト５２の回転方向下流側（装置幅方向一方側）にずれた位置に配置されている。また、本実施形態の定着装置２０Ｄは、第３実施形態の定着装置２０Ｃと同様、透明ベルト５２の外周面を押圧して、透明ベルト５２の内周面をレンズ５４の曲面５４Ａにおける頂部ＴＳ１よりも透明ベルト５２の回転方向の下流側の部位に押付ける押付部材７０を備えている。本実施形態の定着装置２０Ｄは、これらの点以外は第１実施形態の定着装置２０と同様の構成とされている。また、本実施形態の画像形成装置１０Ｄは、第１実施形態の定着装置２０に換えて本実施形態の定着装置２０Ｄを備える点以外、本実施形態の画像形成装置１０と同様の構成とされている。
【００８８】
［作用］
本実施形態の作用は、第２実施形態及び第３実施形態の作用を併せた作用を奏する。本実施形態のその他の作用は、第１実施形態の作用と同様である。
【００８９】
以上のとおり、本発明を特定の実施形態について詳細に説明したが、本発明は前述した実施形態に限定されるものではなく、本発明の技術的思想の範囲内にて他の実施形態が可能である。
【００９０】
例えば、各実施形態の定着装置２０、２０Ｂ、２０Ｃ、２０Ｄでは、シリコーンオイルＯが含浸されている供給部５８を透明ベルト５２の内周面に接触させることで、透明ベルト５２の内周面にシリコーンオイルＯを付着させるとして説明した。しかしながら、透明ベルト５２の内周面にシリコーンオイルＯが付着されていれば、定着装置２０、２０Ｂ、２０Ｃ、２０Ｄに供給部５８を設けなくてもよい。
【００９１】
また、各実施形態の定着装置２０、２０Ｂ、２０Ｃ、２０Ｄでは、潤滑液の一例としてシリコーンオイルＯを用いるとして説明した。しかしながら、透明ベルト５２と、透明ベルト５２内に配置されているレンズ５４及びガイド部５６との摺動による摩擦を低減し、光ＬＢを透過させる液体であれば、本実施形態の定着装置２０、２０Ｂ、２０Ｃ、２０Ｄに用いられる潤滑液は、シリコーンオイルＯでなくてもよい。例えば、パラフィンオイル等であってもよい。
【００９２】
また、各実施形態の定着装置２０、２０Ｂ、２０Ｃ、２０Ｄでは、加圧部４０を構成する筒体４２が、駆動源により軸周りに回転されるとして説明した。しかしながら、筒体４２は、定着動作の際、透明ベルト５２とともにニップＮを形成して軸周りに回転することができればよい。例えば、筒体４２は、透明ベルト５２に従動して回転されるようにしてもよい。
【００９３】
また、第１実施形態の定着装置２０の透明ベルト５２、第１変形例の透明ベルト５２Ｅ、第２変形例の透明ベルト５２Ｆは、シリコーンオイルＯが溝Ｄが形成されている内周面に付着した状態で、回転するとして説明した。しかしながら、溝Ｄが透明ベルト５２、第１変形例の透明ベルト５２Ｅ、第２変形例の透明ベルト５２Ｆの外周面に形成されており、外周面にシリコーンオイルＯが付着した状態で回転する場合も、本発明の技術的範囲に含まれる。
【００９４】
また、第１実施形態の定着装置２０の透明ベルト５２、第１変形例の透明ベルト５２Ｅ、第２変形例の透明ベルト５２Ｆでは、溝Ｄ、Ｄ１、Ｄ２が透明ベルト５２、５２Ｅ、５２Ｆの周方向全周に亘って形成されているとして説明した。しかしながら、透明ベルト５２の回転に伴い、比較形態の透明ベルト５２Ｄよりも多量のシリコーンオイルＯをレンズ５４の頂部ＴＳ１まで到達させることができれば、溝Ｄの方向は、透明ベルト５２の周方向でなくてもよい。同様の条件を満たせば、溝Ｄは、透明ベルト５２の周方向全周に亘って形成されていなくてもよい。例えば、溝Ｄは、図１５（Ａ）に図示した透明ベルトのように、透明ベルトの軸方向（Ｚ、−Ｚ方向）に傾斜する方向に形成されていてもよい。また、溝Ｄは、図１５（Ｂ）に図示した透明ベルトのように、透明ベルトの軸方向に沿って形成されていてもよい。この点は、透明ベルト５２Ｅ、５２Ｆの場合も同様である。
【００９５】
また、第１実施形態の定着装置２０の透明ベルト５２、第１変形例の透明ベルト５２Ｅ、第２変形例の透明ベルト５２Ｆでは、溝Ｄ、Ｄ１、Ｄ２が透明ベルト５２、５２Ｅ、５２Ｆの周方向に沿って形成されているとして説明した。しかしながら、透明ベルト５２の回転に伴い、比較形態の透明ベルト５２Ｄよりも多量のシリコーンオイルＯをレンズ５４の頂部ＴＳ１まで到達させることができれば、溝Ｄの方向は、透明ベルト５２の周方向に沿ってなくてもよい。例えば、溝Ｄは、図１５（Ｃ）に図示した透明ベルトのように、曲線を形成していてもよい。この点は、透明ベルト５２Ｅ、５２Ｆの場合も同様である。
【００９６】
また、第１実施形態の定着装置２０の透明ベルト５２、第１変形例の透明ベルト５２Ｅ、第２変形例の透明ベルト５２Ｆでは、溝Ｄ、Ｄ１、Ｄ２が透明ベルト５２、５２Ｅ、５２Ｆの周方向全周に亘って形成されているとして説明した。しかしながら、透明ベルト５２の回転に伴い、比較形態の透明ベルト５２Ｄよりも多量のシリコーンオイルＯをレンズ５４の頂部ＴＳ１まで到達させることができれば、溝Ｄの方向は、透明ベルト５２の周方向全長に亘って形成されていなくてもよい。例えば、溝Ｄは、螺旋状に形成されていてもよい（図示省略）。
【符号の説明】
【００９７】
１０        画像形成装置
１０Ｂ      画像形成装置
１０Ｃ      画像形成装置
１０Ｄ      画像形成装置
１４        トナー画像形成部（形成手段の一例）
２０        定着装置
２０Ｂ      定着装置
２０Ｃ      定着装置
２０Ｄ      定着装置
４０        加圧部（形成部材の一例）
５２        透明ベルト（ベルトの一例）
５２Ｅ      透明ベルト（ベルトの一例）
５２Ｆ      透明ベルト（ベルトの一例）
５４        レンズ
５４Ａ      曲面
５４Ｂ      曲面（他端の一例）
６６        光源
７０        押付部材
Ｄ          溝
Ｇ          トナー像（現像剤像の一例）
Ｔ          トナー（現像剤の一例、被照射物の一例、被定着物の一例）
ＬＢ        光
Ｏ          シリコーンオイル（潤滑液の一例）
Ｐ          媒体
Ｒ１        透明ベルトの回転方向
ＴＳ１      頂部
Ｚ、−Ｚ    軸方向
【図１】
2016126207.tif 000003
【図２】
2016126207.tif 000004
【図３】
2016126207.tif 000005
【図４】
2016126207.tif 000006
【図５】
2016126207.tif 000007
【図６】
2016126207.tif 000008
【図７】
2016126207.tif 000009
【図８】
2016126207.tif 000010
【図９】
2016126207.tif 000011
【図１０】
2016126207.tif 000012
【図１１】
2016126207.tif 000013
【図１２】
2016126207.tif 000014
【図１３】
2016126207.tif 000015
【図１４】
2016126207.tif 000016
【図１５】
2016126207.tif 000017
【図１６】
2016126207.tif 000018